(57)【要約】【課題】照明器具の調色作業をより簡便かつ迅速に行うことができる照明システムを提供する。【解決手段】照明システム１０は、照明コントローラ１２と、照明コントローラ１２からの調色指示によって照明色を調整可能な照明器具１６とを備える。照明コントローラ１２は、開始点となる基本色を含み四隅の色座標が予め決められた矩形状の色領域情報を複数記憶しており、ユーザからの指示によって何れかの色領域情報が選択されると、選択された色領域情報に対して四隅の色座標を分割することで複数の内分点を設定し、基本色に対応する開始点から隣接する内分点を順にたどるようにして色座標を連続的に変化させた調色信号を生成して照明器具１６に出力し、ユーザからの調色停止指示を受けたとき、照明器具１６の照明光の色を決定する。【選択図】図１
2020021562.tif 000002
【特許請求の範囲】
【請求項１】
照明コントローラと、前記照明コントローラからの調色指示によって照明色を調整可能な照明器具とを備えた照明システムであって、
前記照明コントローラは、開始点となる基本色を含み四隅の色座標が予め決められた矩形状の色領域情報を複数記憶しており、
ユーザからの指示によって何れかの色領域情報が選択されると、選択された色領域情報に対して四隅の色座標を分割することで複数の内分点を設定し、
前記基本色に対応する開始点から隣接する内分点を順にたどるようにして色座標を連続的に変化させた調色信号を生成して前記照明器具に出力し、
ユーザからの調色停止指示を受けたとき、前記照明器具の照明光の色を決定する、
照明システム。
【請求項２】
前記基本色は、レインボーカラーを構成する７色である、請求項１に記載の照明システム。
【請求項３】
前記色領域情報において内分点を設定する際の分割数は、ユーザが設定可能である、請求項１または２に記載の照明システム。
【請求項４】
前記基本色に対応する開始点から、隣接する内分点を順にたどることで連続的に変化させた色を生成する際の変化スピードは、ユーザが設定可能である、請求項１〜３のいずれか一項に記載の照明システム。
【請求項５】
前記照明コントローラは、ユーザからの調色停止指示を受けた後で、前記照明器具の照明光の色を決定する前に、照明色の微調整を受け付ける、請求項１〜４のいずれか一項に記載の照明システム。
【発明の詳細な説明】
【技術分野】
【０００１】
本開示は、照明システムに関する。
【背景技術】
【０００２】
従来、特許文献１には、調光式ＬＥＤ照明器具が開示されている。このＬＥＤ照明器具は、赤・緑・青のＬＥＤを集合実装してなるＬＥＤ集合ランプ部を備え、各色ＬＥＤ群に供給される通電電力をそれぞれ個別に変化させることにより、ＬＥＤ集合ランプ部の色調が色度座標上で予め定められた一次曲線特性に従って連続的に変化する。この構成によれば、どのような人でも簡単に照明を調光することができ、例えばリモコンの１つの操作ツマミを可変操作するだけで広範囲かつ多彩な色調が得られるようなＬＥＤ照明器具を提供できる、と記載されている。
【先行技術文献】
【特許文献】
【０００３】
【特許文献１】特開２００１−１８５３７１号公報
【発明の概要】
【発明が解決しようとする課題】
【０００４】
照明器具から発せられる光を調色して例えば演出照明として用いる場合、照明器具のユーザ等は所望の色調の照明光となるように調光する必要がある。この場合、ユーザ等は複数の色合いの中から所望の色合いに近い基本色の照明光をまず選択したうえで調色を開始できれば、照明器具の調光作業をより簡便かつ迅速に完了させることができるのでより好ましい。
【０００５】
本開示の目的は、照明器具の調色作業をより簡便かつ迅速に行うことができる照明システムを提供することである。
【課題を解決するための手段】
【０００６】
本開示に係る照明システムは、照明コントローラと、前記照明コントローラからの調色指示によって照明色を調整可能な照明器具とを備えた照明システムであって、照明コントローラは、開始点となる基本色を含み四隅の色座標が予め決められた矩形状の色領域情報を複数記憶しており、ユーザからの指示によって何れかの色領域情報が選択されると、選択された色領域情報に対して四隅の色座標を分割することで複数の内分点を設定し、基本色に対応する開始点から隣接する内分点を順にたどるようにして色座標を連続的に変化させた調色信号を生成して照明器具に出力し、ユーザからの調色停止指示を受けたとき、照明器具の照明光の色を決定する。
【発明の効果】
【０００７】
本開示に係る照明システムによれば、照明器具の調色作業をより簡便かつ迅速に行うことができる。
【図面の簡単な説明】
【０００８】
【図１】本開示の一実施形態である照明システムの概略構成図である。
【図２】図１の照明システムに含まれる照明コントローラを蓋開放状態で示す正面図である。
【図３】レインボーカラーを構成する７色の基本色のＲＧＢ値を示す図表である。
【図４】７色の基本色にそれぞれ対応する矩形状の７つの色領域情報を展開した状態で示す平面図である。
【図５】（ａ）〜（ｇ）は、７色の基本色にそれぞれ対応する色領域情報を四隅の色座標とともに示す図である。
【図６】照明コントローラにおいて、照明光の色を連続的に変化させる際の手順を色領域情報上で視覚的に示した図である。
【図７】照明コントローラで実行される起動時／設定変更時の処理手順を示すフローチャートである。
【図８】照明コントローラで実行される色調整時の処理手順を示すフローチャートである。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。また、以下において照明システムのユーザには、照明システムの使用者の他に、照明システムの施工業者などが含まれる。
【００１０】
図１は、本開示の一実施形態である照明システム１０の概略構成図である。照明システム１０は、照明コントローラ１２、インターフェースボックス１４、及び、複数の照明器具１６を備える。照明コントローラ１２からインターフェースボックス１４には、各照明器具１６に対するＲ（赤）、Ｇ（緑）、Ｂ（青）の各ＰＷＭ信号が送信される。
【００１１】
インターフェースボックス１４は、照明コントローラ１２から入力されたＰＷＭ信号を、例えば、８ビットのＤＭＸ信号に変換する機能を有する。これにより、インターフェースボックス１４に入力されたＲ（赤）、Ｇ（緑）、Ｂ（青）の各ＰＷＭ信号はそれぞれ０〜２５５の２５６段階の数値で示されるＤＭＸ信号に変換されて、各照明器具１６に送信される。
【００１２】
各照明器具１６は、インターフェースボックス１４から送信されたＤＭＸ信号に基づいて駆動回路が制御される。これにより、照明器具１６に含まれるＲ、Ｇ、Ｂに対応する各ＬＥＤ素子が発光駆動される。その結果、照明器具１６からは、照明コントローラ１２から送信されるＲ，Ｇ，ＢのＰＷＭ信号からなる調色指示に応じた色調の照明光が出射される。
【００１３】
なお、図１では、インターフェースボックス１４に各２つの照明器具１６が直列に連なった照明器具群が４系統で接続されている例が示されるが、これに限定されるものではなく、照明器具１６の数や接続系統は適宜に変更されてもよい。
【００１４】
図２は、図１の照明システム１０に含まれる照明コントローラ１２を蓋開放状態で示す正面図である。照明コントローラ１２は、コントローラ本体１８と、蓋２０とを備える。蓋２０は、コントローラ本体１８の上端部に軸１９によって回動可能に取り付けられている。蓋２０が下方に回動されたとき、コントローラ本体１８は下部１８ａを除いて表面側が蓋２０によって閉じられる。この状態では、コントローラ本体１８の下部１８ａにあるスイッチ類のみが操作可能である。コントローラ本体１８は、例えば、樹脂からなる扁平直方体状の筐体によって構成される。また、蓋２０は、例えば、樹脂製の平板によって構成され、コントローラ本体１８の上部１８ｂを覆うことができる長方形状に形成されている。
【００１５】
これに対し、図２に示すように、蓋２０が上方に回動されて開かれると、コントローラ本体１８の表側全体が露出した状態となり、照明コントローラ１２における調色作業が可能な状態となる。なお、照明コントローラ１２は、例えば、壁等の造営面に設置されてもよいし、或いは、携帯可能なリモートコントローラであってもよい。
【００１６】
照明コントローラ１２は、例えば、マイコン２１を内蔵している。マイコン２１は、メモリを備えている。メモリには、マイコン２１によって処理されるプログラムや、後述する色領域情報などが記憶されている。
【００１７】
照明コントローラ１２において、コントローラ本体１８の下部１８ａには、４つのシーン選択スイッチ２２ａ，２２ｂ，２２ｃ，２２ｄと、電源スイッチ２４と、増加操作スイッチ２６ａおよび減少操作スイッチ２６ｂとが配置されている。なお、本実施形態ではシーン選択スイッチが４つである場合について説明するが、これに限定されるものではなく、シーン選択スイッチは１つであってもよいし、あるいは、４つ以外の複数であってもよい。
【００１８】
各シーン選択スイッチ２２ａ〜２２ｄの各々は、押下操作可能な押しボタンスイッチによって好適に構成される。シーン選択スイッチ２２ａ〜２２ｄには、シーン番号「１」〜「４」が順番に付されている。また、シーン選択スイッチ２２ａ〜２２ｄには、投光部２３がそれぞれ設けられている。この投光部２３の内側には光源（図示せず）が配置されており、選択中である１又は複数のシーン選択スイッチ２２ａ〜２２ｄの投光部２３が発光表示されるようになっている。
【００１９】
電源スイッチ２４は、照明コントローラ１２の電源の起動または遮断するためのスイッチである。電源スイッチ２４もまた、押下操作可能な押しボタンスイッチによって好適に構成される。電源スイッチ２４が一度押下操作されると照明コントローラ１２が起動（オン）されて調色作業が可能になり、もう１度押下操作されると照明コントローラ１２の電源が遮断（オフ）される。
【００２０】
増加操作スイッチ２６ａおよび減少操作スイッチ２６ｂは、後述する色領域情報の分割数や、変化スピードを規定する時間を照明コントローラ１２に入力および設定する際に使用するスイッチである。増加操作スイッチ２６ａおよび減少操作スイッチ２６ｂもまた、押下操作可能な押しボタンスイッチによって好適に構成される。増加操作スイッチ２６ａを押下するごとに設定値が１ずつインクリメントされ、減少操作スイッチ２６ｂを押下するごとに設定値が１ずつデクリメントされる。この操作によって入力される設定値は、コントローラ本体１８の数字表示部２８において表示され、設定操作するユーザ等が視認することができる。なお、設定値を入力するために例えばテンキー等の入力部を設けてもよい。
【００２１】
コントローラ本体１８において蓋２０で覆われる部分である上部１８ｂには、各シーン選択スイッチ２２ａ〜２２ｄに対応して、インジケータランプ部３０と、上側調整スイッチ３２ａおよび下側調整スイッチ３２ｂとが設けられている。本実施形態では、４つのシーン選択スイッチ２２ａ〜２２ｄが設けられているため、これに対応して４組のインジケータランプ部３０、上側調整スイッチ３２ａおよび下側調整スイッチ３２ｂが設けられている。
【００２２】
本実施形態では、インジケータランプ部３０は、７つのランプが等ピッチで上下方向に沿って配列されて構成されている。インジケータランプ部３０を構成する７つのランプは、後述する７つの基本色に対応しており、ユーザ等によって選択された基本色に対応するランプが点灯表示するようになっている。具体的には、７つのランプは、上側から順に、レインボーカラーを構成する、赤色、橙色、黄色、緑色、水色、青色、及び、紫色の７色の基本色に対応している。
【００２３】
なお、インジケータランプ部３０を構成するランプの数は、基本色に対応した数で設置されてもよいし、或いは、基本色より多くて上側から基本色に対応する数だけを基本色選択時に使用する構成としてもよい。また、レインボーカラーを構成する７つの基本色は、赤色、橙色、黄色、緑色、青色、藍色、及び、紫色であってもよい。
【００２４】
上側調整スイッチ３２ａおよび下側調整スイッチ３２ｂは、基本色を選択または変更するときにユーザ等が押下操作するスイッチである。上側調整スイッチ３２ａおよび下側調整スイッチ３２ｂは、例えば、押しボタンスイッチによって好適に構成される。上側調整スイッチ３２ａを押下操作するごとに、選択される基本色に対応した点灯状態のランプの位置を上側に変更することができる。他方、下側調整スイッチ３２ｂを押下操作するごとに、選択される基本色に対応した点灯状態のランプの位置を下側に変更することができる。
【００２５】
また、上側調整スイッチ３２ａおよび下側調整スイッチ３２ｂは、照明コントローラ１２で照明器具１６の照明光の色調を自動調整した後に、ユーザ等が手動により微調整する際にも使用することができる。これについては後述する。
【００２６】
図２に示すように、照明コントローラ１２は、記憶スイッチ３４をさらに備える。記憶スイッチ３４は、コントローラ本体１８の上部１８ｂにおいて数字表示部２８の下側に隣接して配置されている。記憶スイッチ３４もまた、例えば、押しボタンスイッチによって好適に構成される。記憶スイッチ３４は、調色作業終了時にユーザ等が押下操作したとき、マイコン２１のメモリに仮保持されているＲＧＢ値を確定して記憶させる機能を有する。
【００２７】
図３は、レインボーカラーである７色の基本色のＲＧＢ値を示す図表である。本実施形態の照明コントローラ１２では、図３に示すように、レインボーカラーを構成する７色の基本色のＲＧＢ値が予め記憶されている。具体的には、赤色、橙色、黄色、緑色、水色、青色、及び、紫色の７色が基本色とされている。また、赤色のＲＧＢ値として（２５５、０、０）が記憶され、橙色のＲＧＢ値として（２５５、１２８、０）が記憶され、黄色のＲＧＢ値として（２５５、２５５、０）が記憶され、緑色のＲＧＢ値として（０、２５５、０）が記憶されている。また、水色のＲＧＢ値として（０、２５５、２５５）が記憶され、青色のＲＧＢ値として（０、０、２５５）が記憶され、紫色のＲＧＢ値として（２５５、０、２５５）が記憶されている。これらのＲＧＢ値のカッコ内の各値は、Ｒ，Ｇ，ＢのそれぞれのＤＭＸ信号のレベル値に対応する。以下においては、上記のようにカッコ書きで表示されたＲＧＢ値を、色領域情報における「色座標」ともいう。
【００２８】
なお、本実施形態では７色の基本色が予め設定されている場合について説明したが、これに限定されるものではない。基本色は、例えば、赤色（Ｒ）、緑色（Ｇ）、青色（Ｂ）の３色としてもよい。ただし、三原色よりも多い色数を基本色として設定しておくことで、ユーザ等が調色作業を開始する際に所望の色調に近い基本色を選択しやすくなり、調色作業をより迅速に行えるという利点がある。
【００２９】
図４は、７色の基本色にそれぞれ対応する矩形状の７つの色領域情報を展開した状態で示す平面図である。図７では上下方向に細長い矩形状（または長方形状）の７つの色領域情報ＣＲ１〜ＣＲ７が左右方向に連なった状態で示されている。ここでは、７つの色領域情報ＣＲ１〜ＣＲ７は、左側から順に、赤色、橙色、黄色、緑色、水色、青色、及び、紫色の７色の基本色に対応しており、各色領域情報ＣＲ１〜ＣＲ７の上縁辺の上に７色の基本色に対応する点ａ〜ｇが色座標と共に示されている。すなわち、各色領域情報ＣＲ１〜ＣＲ７には、赤色、橙色、黄色、緑色、水色、青色、及び、紫色の７色の基本色がそれぞれ含まれている。
【００３０】
図４では、便宜上、各色領域情報ＣＲ１〜ＣＲ７の境界を直線で区切って示しているが、各色領域情報ＣＲ１〜ＣＲ７ではそれぞれ左右方向において色合いが徐々に変化して隣りの色領域に連続するものである。そして、最も右側に示す紫色に対応する色領域情報ＣＲ７は、最も左側に示した赤色に対応する色領域情報ＣＲ１に繋がるように連続している。このことを図７では色領域情報ＣＲ７から色領域情報ＣＲ１へ戻る矢印３６で表すとともに、図４の色領域情報全体の右上隅部の色座標と左上隅部の色座標とが（２５５、０、１２８）で同じであることを表している。
【００３１】
また、図４に示す各色領域情報ＣＲ１〜ＣＲ７において、上側から下側に行くにしたがって色味が濃い状態から次第に薄くなって白っぽくなっており、このことを各色領域情報ＣＲ１〜ＣＲ７のハッチング線を下側領域で破線とすることで表している。換言すれば、図４に示される各色領域情報ＣＲ１〜ＣＲ７において、紙面の左右方向は色調の変遷方向であり、紙面の上下方向が色味の濃淡方向である。
【００３２】
図５（ａ）〜（ｇ）は、７色の基本色にそれぞれ対応する色領域情報ＣＲ１〜ＣＲ７を四隅の色座標とともに示す図である。ここで、図５（ａ）〜（ｇ）には、図４に示した赤色、橙色、黄色、緑色、水色、青色、及び、紫色の色領域情報ＣＲ１〜ＣＲ７を分離した状態でそれぞれ個別に示している。なお、図５（ａ）〜（ｇ）に示す各色領域情報ＣＲ１〜ＣＲ７についてハッチングは省略されている。
【００３３】
図５（ａ）〜（ｇ）に示される各色領域情報ＣＲ１〜ＣＲ７は、照明コントローラ１２においてマイコン２１のメモリに予め記憶されている。各色領域情報ＣＲ１〜ＣＲ７の詳細は、次のとおりである。
【００３４】
図５（ａ）には、赤色に対応する色領域情報ＣＲ１が示される。色領域情報ＣＲ１は、四隅の色座標（すなわちＲＧＢ値）が（２５５、０、１２８）、（２５５、６４、０）、（２５５、２５５、２５５）、（２５５、２５５、２５５）で示される長方形状の領域として表すことができる。
【００３５】
ここで、色領域情報ＣＲ１の左下隅部の色座標と右下隅部の色座標が（２５５、２５５、２５５）で同じになっているのは、色領域情報ＣＲ１の下辺上では全てのＲＧＢ値が最大値「２５５」となって完全な白色となっていることを表している。このことは、他の色領域情報ＣＲ２〜ＣＲ７についても同様である。
【００３６】
図５（ｂ）には、橙色に対応する色領域情報ＣＲ２が示される。色領域情報ＣＲ２は、四隅の色座標（すなわちＲＧＢ値）が（２５５、６４、０）、（２５５、１９２、０）、（２５５、２５５、２５５）、（２５５、２５５、２５５）で示される長方形状の領域として表すことができる。
【００３７】
図５（ｃ）には、黄色に対応する色領域情報ＣＲ３が示される。色領域情報ＣＲ３は、四隅の色座標（すなわちＲＧＢ値）が（２５５、１９２、０）、（１２８、２５５、０）、（２５５、２５５、２５５）、（２５５、２５５、２５５）で示される長方形状の領域として表すことができる。
【００３８】
図５（ｄ）には、緑色に対応する色領域情報ＣＲ４が示される。色領域情報ＣＲ４は、四隅の色座標（すなわちＲＧＢ値）が（１２８、２５５、０）、（０、２５５、１２８）、（２５５、２５５、２５５）、（２５５、２５５、２５５）で示される長方形状の領域として表すことができる。
【００３９】
図５（ｅ）には、水色に対応する色領域情報ＣＲ５が示される。色領域情報ＣＲ５は、四隅の色座標（すなわちＲＧＢ値）が（０、２５５、１２８）、（０、１２８、２５５）、（２５５、２５５、２５５）、（２５５、２５５、２５５）で示される長方形状の領域として表すことができる。
【００４０】
図５（ｆ）には、青色に対応する色領域情報ＣＲ６が示される。色領域情報ＣＲ６は、四隅の色座標（すなわちＲＧＢ値）が（０、１２８、２５５）、（１２８、０、２５５）、（２５５、２５５、２５５）、（２５５、２５５、２５５）で示される長方形状の領域として表すことができる。
【００４１】
図５（ｇ）には、紫色に対応する色領域情報ＣＲ７が示される。色領域情報ＣＲ７は、四隅の色座標（すなわちＲＧＢ値）が（１２８、０、２５５）、（２５５、０、１２８）、（２５５、２５５、２５５）、（２５５、２５５、２５５）で示される長方形状の領域として表すことができる。
【００４２】
図６は、照明コントローラ１２において、照明光の色を連続的に変化させる際の手順を色領域情報ＣＲｎ上で視覚的に示した図である。ここで、本実施形態ではｎ＝１〜７の何れかであり、色領域情報ＣＲ１〜ＣＲ７の何れかが選択されることを示している。また、図７は、照明コントローラ１２で実行される起動時／設定変更時の処理手順を示すフローチャートである。
【００４３】
照明コントローラ１２のマイコン２１は、電源スイッチ２４が押下操作されて照明コントローラ１２が起動されたとき、図７に示す処理を実行する。
【００４４】
具体的には、マイコン２１は、まず、ステップＳ１０において、段階設定値Ｓを取得する。ここで、段階設定値Ｓは、図６に示されるように、選択された色領域情報ＣＲｎを上下方向に等分する分割数に相当する。図６では、段階設定値Ｓ＝１０の場合が例示されている。段階設定値Ｓは、図２を参照して上述したように、コントローラ本体１８に設けられた増加操作スイッチ２６ａや減少操作スイッチ２６ｂなどを用いてユーザ等が設定することができる。
【００４５】
具体的には、例えば、段階設定値Ｓは初期値＝０に設定されており、この状態からユーザ等が増加操作スイッチ２６ａを１０回押下操作することで、数字表示部２８の数字が所望の値「１０」となる。この状態で、ユーザ等が記憶スイッチ３４を押下操作すると、段階設定値Ｓが記憶保存される。或いは、段階設定値Ｓは初期値＝１０に設定されており、この状態からユーザ等が増加操作スイッチ２６ａまたは減少操作スイッチ２６ｂを押下操作して、段階設定値Ｓを所望の値に設定してもよい。段階設定値Ｓが初期値＝１０のままで良い場合には、ユーザ等が直ちに記憶スイッチ３４を押下操作することで段階設定値Ｓ＝１０として記憶保存される。
【００４６】
続いて、マイコン２１は、ステップＳ１２において、各色領域情報ＣＲ１〜ＣＲ７の四隅の色座標をメモリから読み出して取得する。
【００４７】
そして、マイコン２１は、ステップＳ１４において、各色領域情報ＣＲ１〜ＣＲ７における各内分点の色座標を算出してメモリに記憶する。ここで、内分点とは、図６に示すように、長方形状をなす色領域情報ＣＲｎの右辺上および左辺上に等ピッチで設定される通過ポイントである。
【００４８】
より詳しくは、色領域情報ＣＲｎの右辺および左辺を上下方向に段階設定値Ｓで分割することで設定されるものである。本実施形態では、色領域情報ＣＲｎの右辺上では、右上隅部であるＰ２と右下隅部であるＰ４との間にＰＲ１〜ＰＲ９の９個の内分点が設定される。各内分点ＰＲ１〜ＰＲ９の色座標は、Ｐ２とＰ４との色座標の差を段階設定値Ｓで除算したＲＧＢ値（ΔＲ、ΔＧ、ΔＢ）をＰ２の色座標に順次に加算していくことで算出することができる。
【００４９】
同様に、色領域情報ＣＲｎの左辺上では、左上隅部であるＰ１と左下隅部であるＰ３との間にＰＬ１〜ＰＬ９の９個の内分点が設定される。各内分点ＰＬ１〜ＰＬ９の色座標は、Ｐ１とＰ３との色座標の差を段階設定値Ｓで除算したＲＧＢ値（ΔＲ、ΔＧ、ΔＢ）をＰ１の色座標に順次に加算していくことで算出することができる。
【００５０】
続いて、マイコン２１は、ステップＳ１６において、内分点２点間の変化スピードを取得する。本実施形態では、２つの内分点間で調色信号を変化させながら定期的に出力する際に要する場合に２つの内分点間で要する変化時間Ｎ（秒）として設定することができる。変化時間Ｎ（秒）はユーザ等が段階設定値Ｓの設定動作と同様にして増加操作スイッチ２６ａ、減少操作スイッチ２６ｂ、数字表示部２８、記憶スイッチ３４（図２参照）などを用いて設定することができる。
【００５１】
例えば、変化時間Ｎ(秒)が５秒に設定され、マイコン２１から調色信号が出力される時間間隔を１秒とした場合、マイコン２１は、例えば２つの内分点ＰＲ１，ＰＬ１の間で色座標を直線状に変化させながら調色信号を４回出力することになる。この場合の調色信号の出力タイミングが図６中において２つの内分点ＰＲ１，ＰＬ１の間にある４つの×印によって示されている。
【００５２】
このようにして変化スピードが設定されると、マイコン２１は、起動時の処理を終了する（エンド処理）。
【００５３】
なお、ユーザ等による変化スピードの設定が行われない場合、マイコン２１は予め記憶されている初期値をそのまま変化時間Ｎ（秒）として設定してよい。また、例えば、電源スイッチ２４が長押し操作される等によって設定変更されるときも、図７に示す処理を実行することによって、段階設定値Ｓや変化時間Ｎ（秒）を変更することができる。
【００５４】
次に、図８を参照して、本実施形態の照明システム１０における調色処理手順を説明する。図８は、照明コントローラ１２で実行される色調整時の処理手順を示すフローチャートである。
【００５５】
図８に示す処理は、例えば、照明コントローラ１２の起動時または設定変更時に図７に示す処理が実行された後に、引き続いてマイコン２１で実行されてもよい。
【００５６】
マイコン２１は、まず、ステップＳ２０において、シーン選択がされたか否かを判定する。ここでは、マイコン２１は、シーン選択スイッチ２２ａ，２２ｂ，２２ｃ，２２ｄのいずれかが押下操作されたとき、押下操作されたスイッチに対応したシーンが選択されたと判定する。なお、所定時間内にシーン選択がない場合、マイコン２１は、そのまま処理を終了する（エンド処理）。
【００５７】
続いて、マイコン２１は、ステップＳ２２において、基本色が選択されたか否かを判定する。基本色の選択は、図２を参照して上述したように、ユーザ等が照明コントローラ１２に設けられているインジケータランプ部３０と、上側調整スイッチ３２ａおよび下側調整スイッチ３２ｂとを用いて選択される。例えば、ユーザ等が赤色を基本色として選択した場合、インジケータランプ部３０のうち最も上側に位置するランプが点灯した状態となる。或いは、ユーザ等が水色を基本色として選択した場合、インジケータランプ部３０のうち上から５番目（下から３番目）に位置するランプが点灯した状態となる。なお、所定時間内に基本色が選択されない場合、マイコン２１は、そのまま処理を終了する（エンド処理）。
【００５８】
続いて、マイコン２１は、ステップＳ２４において、選択された基本色に対応するスタートポイントＳＰの色座標を取得する。ここで、スタートポイントＳＰとは、図６に示すように、選択された基本色に対応する色領域情報ＣＲｎにおいて調色指示を開始する色座標の点に相当する。具体的には、図３を参照して上述したように、７色の基本色のＲＧＢ値がそれぞれスタートポイントＳＰの色座標となる。
【００５９】
例えば、基本色として赤色が選択された場合、マイコン２１は、メモリに記憶されている赤色のＲＧＢ値（２５５、０、０）をスタートポイントＳＰの色座標として読み出す。また、マイコン２１は、赤色に対応する色領域情報ＣＲ１に関して、四隅Ｐ１〜Ｐ４の各色座標、内分点ＰＲ１〜ＰＲ９，ＰＬ１〜ＰＬ９の色座標をメモリから読み出す。
【００６０】
続いて、マイコン２１は、ステップＳ２６において、ユーザ等による調整開始指示があったか否かを判定する。ここでは、マイコン２１は、ステップＳ２０で選択されたシーン番号に対応するシーン選択スイッチ２２ａ〜２２ｄが再度押下操作されたか否かで調整開始指示の有無を判定する。
【００６１】
そして、マイコン２１は、調整開始指示があったと判定したとき（ステップＳ２６でＹＥＳ）、ステップＳ２８に進む。他方、マイコン２１は、所定時間内に調整開始指示がない場合には（ステップＳ２６でＮＯ）、そのまま処理を終了する（エンド処理）。
【００６２】
調整開始指示があったとき、マイコン２１は、ステップＳ２８において、スタートポイントＳＰから所定の内分点ＰＲ１〜ＰＲ９，ＰＬ１〜ＰＬ９を順次に通過するようにＲＧＢ値を変化させた調色信号を出力する。具体的には、マイコン２１は、図６に示すように、スタートポイントＳＰから調色信号の生成を開始し、色座標が変化した調色信号を所定の時間間隔で順次出力する。
【００６３】
ここでは、マイコン２１は、まず、選択された基本色に対応するスタートポイントＳＰの色座標（すなわちＲＧＢ値）を調色信号として出力する。この調色信号は、インターフェースボックス１４を介して照明器具１６へ送信され、照明器具１６が選択された基本色の照明光を発する。
【００６４】
そして、マイコン２１は、スタートポイントＳＰから右上の隅部Ｐ２へ向かって色座標を変化させながら調色信号を所定の時間間隔で出力する。この場合の調色信号の変化のさせ方、および、変化スピードは、内分点２点間で色座標に変化させながら調色信号を出力する場合と同様である。調色信号が右上隅部Ｐ２に達すると、マイコン２１は、右上隅部Ｐ２から内分点ＰＲ１に色座標をシフトし、そこから内分点ＰＬ１に向かって左方向へ色座標を変化させながら調色信号を順次に出力する。
【００６５】
続いて、マイコン２１は、調色信号が内分点ＰＬ１に達すると、調色信号の色座標を隣接する内分点ＰＬ２にシフトし、そこから内分点ＰＲ２に向かって右方向へ色座標を変化させながら調色信号を順次に出力する。マイコン２１は、このようにして隣接する内分点を順にたどるようにして色座標を連続的に変化させた調色信号を生成し、インターフェースボックス１４を介して照明器具１６に出力する。
【００６６】
調色信号の色座標が右下の隅部Ｐ４に達すると、マイコン２１は、色座標を左上の隅部Ｐ１へジャンプさせ、左上隅部Ｐ１からスタートポイントＳＰに向かって色座標を変化させていく。そして、色座標がスタートポイントＳＰに到達すると、上述したのと同様にして２周目の調色信号生成工程に入る。
【００６７】
このようにして調色信号を連続的に変化させることで、照明器具１６による照明光の色調は、選択された基本色に対応する色領域情報ＣＲｎの範囲内で濃い色から薄い色へと徐々に変化していく。したがって、ユーザ等は、照明システム１０が設置されている現場での照明光の色合いを目視で確認しながら、所望の照明色となるように調整することができる。
【００６８】
再び図８を参照すると、マイコン２１は、ステップＳ３０において、調整停止指示があったか否かを判定する。ここで、調整停止指示は、ユーザ等が調整開始後に同じシーン選択スイッチ２２ａ〜２２ｄを再度押下操作したか否かで判定する。ステップＳ３０で調整停止指示があったと判定されないとき（ステップＳ３０でＮＯ）、ステップＳ２８の処理を繰り返し実行する。すなわち、マイコン２１から照明器具１６に対して色座標が連続的に変化する調色信号が出力され、照明光の色調が連続的に変化する。
【００６９】
そして、ユーザ等が所望の照明色になったと判断して調整停止指示を行ったとき（ステップＳ３０でＹＥＳ）、マイコン２１は、ステップＳ３２において、調整停止指示があったときの色座標（すなわちＲＧＢ値）をメモリに仮保持する。
【００７０】
それから、マイコン２１は、ステップＳ３４において、手動による調整があったか否かを判定する。ここでは、調整停止指示があってから所定時間内に、上側調整スイッチ３２ａおよび下側調整スイッチ３２ｂ（図２参照）の少なくとも一方が操作されたか否かで判定する。具体的には、上側調整スイッチ３２ａが押下操作された場合、１回の押下操作に応じて所定量の調整量を仮保持されたＲＧＢ値に加算する。他方、下側調整スイッチ３２ｂが押下操作された場合、１回の押下操作につき所定の調整量を仮保持されたＲＧＢ値から減算する。このようなユーザ等による手動調整を可能にすることで、段階設定値Ｓに対応する分割数よりも細かい変化量での微調整が可能になる。
【００７１】
ステップＳ３４において手動調整があったと判定したとき（ステップＳ３０でＹＥＳ）、マイコン２１は、続くステップＳ３６において、仮保持された色座標のＲＧＢ値を調整した後、ステップＳ３８において色座標のＲＧＢ値を確定させてメモリに記憶する。他方、ステップＳ３４において手動調整がないと判定されたとき（ステップＳ３４でＮＯ）、マイコン２１は、ステップＳ３８において、仮保持した色座標のＲＢＧ値をそのまま確定させてメモリに記憶する。
【００７２】
このようにして、選択されたシーンについて、照明コントローラ１２による照明器具１６の調色作業が終了する。別のシーンについて調色を行う場合には、シーン選択スイッチ２２ａ〜２２ｄを用いて別のシーンを選択して、同様にして調色作業を行うことができる。
【００７３】
上述したように本実施形態は、照明コントローラ１２と、照明コントローラ１２からの調色指示によって照明色を調整可能な照明器具１６とを備えた照明システム１０である。照明コントローラ１２は、開始点となる基本色を含み四隅Ｐ１〜Ｐ４の色座標が予め決められた矩形状の色領域情報ＣＲｎを複数記憶しており、ユーザ等からの指示によって何れかの色領域情報が選択されると、選択された色領域情報に対して四隅の色座標を分割することで複数の内分点ＰＲ１〜ＰＲ９，ＰＬ１〜ＰＬ９を設定する。そして、照明コントローラ１２は、基本色に対応する開始点から隣接する内分点を順にたどるようにして色座標を連続的に変化させた調色信号を生成して照明器具１６に出力する。そして、照明コントローラ１２は、ユーザ等からの調色停止指示を受けたとき、照明器具１６の照明光の色を決定する。
【００７４】
この構成によれば、照明器具の調色作業をより簡便かつ迅速に行うことができる。より詳しくは、Ｒ（赤），Ｇ（緑），Ｂ（青）用のフェーダ等の調光操作部材や照明光の色調を表示するカラー画面などを備えていない簡易な構成の照明コントローラ１２を用いて、シーンごとの調光作業を簡便かつ迅速に行うことができる。また、照明システム１０が設置された現場でユーザ等が照明器具１６による実際の照明具合を視認しながら調色作業を行えるので、より現場に適した色調の照明光の調整作業を簡便かつ迅速に行うことができる。
【００７５】
本実施形態の照明システム１０において、基本色は、レインボーカラーを構成する７色である。この構成によれば、ユーザ等が調色作業を開始する際に所望の色調に近い基本色を選択しやすくなり、調色作業をより迅速に行うことができ、照明システム１０の使い勝手が良くなる。
【００７６】
また、本実施形態の照明システム１０において、色領域情報ＣＲｎにおいて内分点ＰＲ１〜ＰＲ９，ＰＬ１〜ＰＬ９を設定する際の分割数（すなわち段階設定値Ｎ）は、ユーザ等が設定可能である。これにより、ユーザ等の好みに応じて照明色の変化量を設定することができ、照明システム１０の使い勝手が良くなる。
【００７７】
また、本実施形態の照明システム１０において、基本色に対応する開始点から、隣接する内分点を順にたどることで連続的に変化させた色を生成する際の変化スピードは、ユーザが設定可能である。これにより、ユーザ等の好みに応じて照明色の変化スピードを設定することができ、照明システム１０の使い勝手が良くなる。
【００７８】
さらに、本実施形態の照明システム１０において、照明コントローラ１２は、ユーザ等からの調色停止指示を受けた後で、照明器具１６の照明光の色を決定する前に、照明色の微調整を受け付ける。これにより、ユーザ等の好みに応じて照明色を微調整することができ、照明システム１０の使い勝手が良くなる。
【００７９】
なお、本開示に係る照明システムは、上述した実施形態およびその変形例に限定されるものではなく、本願の特許請求の範囲に記載された事項の範囲内で種々の変更や改良が可能であることは勿論である。
【符号の説明】
【００８０】
１０  照明システム、１２  照明コントローラ、１４  インターフェースボックス、１６  照明器具、１８  コントローラ本体、１８ａ  下部、１８ｂ  上部、１９  軸、２０  蓋、２１  マイコン、２２ａ，２２ｂ，２２ｃ，２２ｄ  シーン選択スイッチ、２３  投光部、２４  電源スイッチ、２６ａ  増加操作スイッチ、２６ｂ  減少操作スイッチ、２８  数字表示部、３０  インジケータランプ部、３２ａ  上側調整スイッチ、３２ｂ  下側調整スイッチ、３４  記憶スイッチ、ＣＲ１〜ＣＲ７，ＣＲｎ  色領域情報、Ｎ  変化時間、Ｓ  段階設定値、Ｐ１〜Ｐ４  隅部、ＰＬ１〜ＰＬ９，ＰＲ１〜ＰＲ９  内分点。
【図１】
2020021562.tif 000003
【図２】
2020021562.tif 000004
【図３】
2020021562.tif 000005
【図４】
2020021562.tif 000006
【図５】
2020021562.tif 000007
【図６】
2020021562.tif 000008
【図７】
2020021562.tif 000009
【図８】
2020021562.tif 000010